【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
画像データに対する複数の画像処理を行う画像処理手段と、
前記画像処理手段によって処理される複数の画像処理のうちの一の画像処理に要した処理能力を計測する計測手段と、
前記計測手段による計測の結果に基づいて、前記複数の画像処理のうちの前記一の画像処理を除く他の画像処理に要する処理能力を予測する予測手段とを有し、
前記画像処理手段は、前記予測手段による予測の結果に基づいて、所定の単位時間内に処理を完了可能な画像処理を前記他の画像処理から選択し、前記選択した各画像処理を実行することを特徴とする画像処理装置。
【請求項２】
前記予測手段による予測の結果の、前記計測手段による実際の計測結果に対する誤差に応じて、前記予測手段の予測条件を修正する修正手段を更に有することを特徴とする請求項１に記載の画像処理装置。
【請求項３】
画像データに対する複数の画像処理を行う画像処理手段と、
前記画像処理手段によって処理される一の画像処理に要した処理能力を計測する計測手段と、
前記計測手段による計測の結果に基づいて、前記画像処理手段によって処理される他の画像処理に要する処理能力を予測するとともに、新たな画像処理の要求を更に受けた際に、当該新たな画像処理に要する処理能力を予測する予測手段と、
前記計測手段による計測の結果および前記予測手段による予測の結果に基づいて、前記一の画像処理および前記他の画像処理に加え前記新たな画像処理を所定の単位時間内に処理可能かどうかを判断し、その判断結果に応じて当該新たな画像処理の要求の許否を決定する制御手段と、
を有することを特徴とする画像処理装置。
【請求項４】
前記制御手段の処理によって前記新たな画像処理の要求を受け入れた場合、前記制御手段は、当該新たな画像処理に係る画像データの解像度が前記一の画像処理に係る画像データの解像度よりも小さいときは、当該新たな画像処理を前記一の画像処理に変更することを特徴とする請求項３に記載の画像処理装置。
【請求項５】
前記所定の単位時間は、１フレームの画像データの入力に要する時間であることを特徴とする請求項１から４までのいずれか１項に記載の画像処理装置。
【請求項６】
前記制御手段は、処理速度が低下した場合、画像処理の優先度に関する情報に基づいて、処理すべき画像処理を選択することを特徴とする請求項１または２に記載の画像処理装置。
【請求項７】
請求項１から６までのいずれか１項に記載の画像処理装置を含み、前記所定の単位時間内に複数の映像ストリームをネットワークを介しクライアントに配信する映像配信システム。
【請求項８】
画像データに対する複数の画像処理を行う画像処理装置の制御方法であって、
前記複数の画像処理のうちの一の画像処理に要した処理能力を計測する計測ステップと、
前記計測ステップにおける計測の結果に基づいて、前記複数の画像処理のうちの前記一の画像処理を除く他の画像処理に要する処理能力を予測する予測ステップと、
前記予測ステップにおける予測の結果に基づいて、所定の単位時間内に処理を完了可能な画像処理を前記他の画像処理から選択し、選択した各画像処理に係るパラメータに基づいて画像処理を行う画像処理ステップと、
を有することを特徴とする画像処理装置の制御方法。
【請求項９】
画像データに対する複数の画像処理を行う画像処理装置の制御方法であって、
前記複数の画像処理のうち一の画像処理に要した処理能力を計測する計測ステップと、
前記計測ステップにおける計測の結果に基づいて、他の画像処理に要する処理能力を予測する第１予測ステップと、
新たな画像処理の要求を更に受けた際に、当該新たな画像処理に要する処理能力を予測する第２予測ステップと、
前記計測ステップで計測された前記一の画像処理に要した処理能力、前記第１予測ステップで予測された前記他の画像処理に要する処理能力、および、前記第２予測ステップで予測された前記新たな画像処理に要する処理能力に基づいて、前記一の画像処理および前記他の画像処理に加え前記新たな画像処理を所定の単位時間内に処理可能かどうかを判断し、その判断結果に応じて当該新たな画像処理の要求の許否を決定する決定ステップと、
を有することを特徴とする画像処理装置の制御方法。
【請求項１０】
請求項８または９に記載の画像処理装置の制御方法をコンピュータに実行させるためのプログラム。
【請求項１１】
請求項１０に記載のプログラムを格納したコンピュータ読み取り可能な記憶媒体。
【手続補正２】
【補正対象書類名】明細書
【補正対象項目名】００１５
【補正方法】変更
【補正の内容】
【００１５】
上記した課題は、本発明の画像処理装置およびその制御方法によって解決される。本発明の一側面に係る画像処理装置は、画像データに対する複数の画像処理を行う画像処理手段と、前記画像処理手段によって処理される複数の画像処理のうちの一の画像処理に要した処理能力を計測する計測手段と、前記計測手段による計測の結果に基づいて、前記複数の画像処理のうちの前記一の画像処理を除く他の画像処理に要する処理能力を予測する予測手段とを有し、前記画像処理手段は、前記予測手段による予測の結果に基づいて、所定の単位時間内に処理を完了可能な画像処理を前記他の画像処理から選択し、前記選択した各画像処理を実行することを特徴とする。
【手続補正３】
【補正対象書類名】明細書
【補正対象項目名】００１６
【補正方法】変更
【補正の内容】
【００１６】
本発明の別の側面に係る画像処理装置は、画像データに対する複数の画像処理を行う画像処理手段と、前記画像処理手段によって処理される一の画像処理に要した処理能力を計測する計測手段と、前記計測手段による計測の結果に基づいて、前記画像処理手段によって処理される他の画像処理に要する処理能力を予測するとともに、新たな画像処理の要求を更に受けた際に、当該新たな画像処理に要する処理能力を予測する予測手段と、前記計測手段による計測の結果および前記予測手段による予測の結果に基づいて、前記一の画像処理および前記他の画像処理に加え前記新たな画像処理を所定の単位時間内に処理可能かどうかを判断し、その判断結果に応じて当該新たな画像処理の要求の許否を決定する制御手段とを有することを特徴とする。
【手続補正４】
【補正対象書類名】明細書
【補正対象項目名】００１７
【補正方法】変更
【補正の内容】
【００１７】
本発明の更に別の側面は、画像データに対する複数の画像処理を行う画像処理装置の制御方法に係り、前記複数の画像処理のうちの一の画像処理に要した処理能力を計測する計測ステップと、前記計測ステップにおける計測の結果に基づいて、前記複数の画像処理のうちの前記一の画像処理を除く他の画像処理に要する処理能力を予測する予測ステップと、前記予測ステップにおける予測の結果に基づいて、所定の単位時間内に処理を完了可能な画像処理を前記他の画像処理から選択し、選択した各画像処理に係るパラメータに基づいて画像処理を行う画像処理ステップとを有することを特徴とする。
【手続補正５】
【補正対象書類名】明細書
【補正対象項目名】００１８
【補正方法】変更
【補正の内容】
【００１８】
本発明の更に別の側面は、画像データに対する複数の画像処理を行う画像処理装置の制御方法に係り、前記複数の画像処理のうち一の画像処理に要した処理能力を計測する計測ステップと、前記計測ステップにおける計測の結果に基づいて、他の画像処理に要する処理能力を予測する第１予測ステップと、新たな画像処理の要求を更に受けた際に、当該新たな画像処理に要する処理能力を予測する第２予測ステップと、前記計測ステップで計測された前記一の画像処理に要した処理能力、前記第１予測ステップで予測された前記他の画像処理に要する処理能力、および、前記第２予測ステップで予測された前記新たな画像処理に要する処理能力に基づいて、前記一の画像処理および前記他の画像処理に加え前記新たな画像処理を所定の単位時間内に処理可能かどうかを判断し、その判断結果に応じて当該新たな画像処理の要求の許否を決定する決定ステップとを有することを特徴とする。